(57)【要約】  【課題】  端末が移動する軌跡を記録するときにその端末の位置を検索する負担を軽減すること。  【解決手段】  出発時刻を記録する監視時間テーブル１５と、出発時刻を経過した後に学生端末５の位置を間欠的に検索する位置監視部６９と、その位置の軌跡を記録する軌跡テーブル１６と、通信回線網３を介して親端末６から軌跡を要求されたときに通信回線網３を介して親端末６にその軌跡を返信する軌跡提供部７３とを備えている。登下校管理装置１は、出発時刻を経過した後にのみ学生端末５の位置を検索することにより負担が軽減される。さらに、親端末６を使用するユーザは、学生端末５の位置を頻繁に検索することなく、学生端末５を携帯するユーザが移動する軌跡を知ることができる。  【選択図】  図１
2006244182.tif 000002
【特許請求の範囲】
【請求項１】
出発時刻を記録する監視時間テーブルと、
前記出発時刻を経過した後に学生端末の位置を間欠的に検索する位置監視部と、
前記位置の軌跡を記録する軌跡テーブルと、
通信回線網を介して親端末から前記軌跡を要求されたときに前記通信回線網を介して前記親端末に前記軌跡を返信する軌跡提供部
とを具備する登下校管理装置。
【請求項２】
請求項１において、
前記学生端末は、前記位置を検索する機能を有し、
前記位置監視部は、前記通信回線網を介して前記学生端末と通信して前記位置を収集する
登下校管理装置。
【請求項３】
請求項２において、
出発地と目的地とを記録する経路テーブルと、
前記出発時刻と前記出発地と前記目的地とに基づいて到着予定時刻を算出する到着予定時刻算出部と、
前記学生端末が前記目的地に到着しない場合で、前記到着予定時刻を経過したときに、前記通信回線網を介して終了メッセージを前記学生端末に送信するメッセージ送信部
とを更に具備する登下校管理装置。
【請求項４】
請求項３において、
前記終了メッセージの返信メッセージを収集する返信メッセージ収集部と、
前記終了メッセージを前記学生端末に送信してから所定の時間内に前記返信メッセージが受信されないときに、前記通信回線網を介して捜索依頼メッセージを前記親端末に送信する捜索依頼メッセージ送信部
とを更に具備する登下校管理装置。
【請求項５】
請求項１〜請求項４のいずれかにおいて、
前記通信回線網を介して前記学生端末から前記出発時刻を収集する出発時刻収集部
を更に具備する登下校管理装置。
【請求項６】
請求項１〜請求項５のいずれかにおいて、
前記通信回線網を介して先生端末から出欠を収集する出欠調査部を更に具備し、
前記位置監視部は、前記出欠が出席を示すときに、前記学生端末の位置を検索することを終了する
登下校管理装置。
【請求項７】
請求項５または請求項６のいずれかにおいて、
前記通信回線網を介して親端末から欠席届を収集する欠席届収集部を更に具備し、
前記位置監視部は、前記欠席届を受信するときに前記位置を検索しない
登下校管理装置。
【請求項８】
請求項１〜請求項４のいずれかにおいて、
授業に割り当てられる時間を示す時間割を先生端末から収集する時間割収集部と、
前記時間割に基づいて前記出発時刻を算出する下校時刻算出部
とを更に具備する登下校管理装置。
【請求項９】
請求項１〜請求項４のいずれかにおいて、
下校予定時刻を先生端末から収集する時間割収集部と、
前記下校予定時刻に基づいて前記出発時刻を算出する下校時刻算出部
とを更に具備する登下校管理装置。
【請求項１０】
請求項１〜請求項９のいずれかにおいて、
前記通信回線網を介して前記学生端末から帰宅メッセージを収集する帰宅メッセージ収集部を更に具備し、
前記位置監視部は、前記帰宅メッセージを受信したときに前記学生端末の位置を検索することを終了する
登下校管理装置。
【請求項１１】
出発時刻を監視時間テーブルに記録するステップと、
前記出発時刻を経過した後に学生端末の位置を間欠的に検索するステップと、
前記位置の軌跡を軌跡テーブルに記録するステップと、
通信回線網を介して親端末から前記軌跡を要求されたときに前記通信回線網を介して前記親端末に前記軌跡を返信するステップ
とを具備する登下校管理方法。
【請求項１２】
請求項１１において、
前記学生端末は、前記位置を検索する機能を有し、
前記位置は、前記通信回線網を介して前記学生端末と通信して収集される
登下校管理方法。
【請求項１３】
請求項１２において、
出発地と目的地とを経路テーブルに記録するステップと、
前記出発時刻と前記出発地と前記目的地とに基づいて到着予定時刻を算出するステップと、
前記学生端末が前記目的地に到着しない場合で、前記到着予定時刻を経過したときに、前記通信回線網を介して終了メッセージを前記学生端末に送信するステップ
とを更に具備する登下校管理方法。
【請求項１４】
請求項１３において、
前記終了メッセージの返信メッセージを収集するステップと、
前記終了メッセージを前記学生端末に送信してから所定の時間内に前記返信メッセージが受信されないときに、前記通信回線網を介して捜索依頼メッセージを前記親端末に送信するステップ
とを更に具備する登下校管理方法。
【請求項１５】
請求項１１〜請求項１４のいずれかにおいて、
前記通信回線網を介して前記学生端末から前記出発時刻を収集するステップ
を更に具備する登下校管理方法。
【請求項１６】
請求項１１〜請求項１５のいずれかにおいて、
前記通信回線網を介して先生端末から出欠を収集するステップを更に具備し、
前記位置は、前記出欠が出席を示すときに、検索されることが終了する
登下校管理方法。
【請求項１７】
請求項１５または請求項１６のいずれかにおいて、
前記通信回線網を介して親端末から欠席届を収集するステップを更に具備し、
前記位置は、前記欠席届を受信するときに検索されない
登下校管理方法。
【請求項１８】
請求項１１〜請求項１４のいずれかにおいて、
授業に割り当てられる時間を示す時間割を先生端末から収集するステップと、
前記時間割に基づいて前記出発時刻を算出するステップ
とを更に具備する登下校管理方法。
【請求項１９】
請求項１１〜請求項１４のいずれかにおいて、
下校予定時刻を先生端末から収集するステップと、
前記下校予定時刻に基づいて前記出発時刻を算出するステップ
とを更に具備する登下校管理方法。
【請求項２０】
請求項１１〜請求項１９のいずれかにおいて、
前記通信回線網を介して前記学生端末から帰宅メッセージを収集するステップを更に具備し、
前記位置は、前記帰宅メッセージを受信したときに検索されることが終了する
登下校管理方法。
【請求項２１】
許可端末を記録する連絡先テーブルと、
本登下校管理端末の位置を検出する位置検出部と、
通信回線網を介して位置要求端末から前記位置を要求されたときに、前記通信回線網を介して前記位置要求端末に前記位置を返信する返信部とを具備し、
前記返信部は、前記許可端末が前記位置要求端末を含まないときに、前記位置要求端末に前記位置を返信しない
登下校管理端末。
【請求項２２】
請求項２１において、
緊急連絡部を更に具備し、
前記連絡先テーブルは、緊急連絡先端末を更に記録し、
前記緊急連絡部は、緊急ボタンが操作されたときに前記通信回線網を介して前記緊急連絡先端末に前記位置を連絡する
登下校管理端末。
【請求項２３】
請求項２１または請求項２２のいずれかにおいて、
前記位置検出部は、ＧＰＳ衛星から発振される電波に基づいて本登下校管理端末の位置を検出する
登下校管理端末。
【請求項２４】
請求項２１または請求項２２のいずれかにおいて、
前記位置検出部は、前記通信回線網に利用される複数の基地局から発振される電波に基づいて本登下校管理端末の位置を検出する
登下校管理端末。
【請求項２５】
請求項２１〜請求項２４のいずれかにおいて、
前記連絡先テーブルは、登下校管理装置を更に記録し、
前記返信部は、前記通信回線網を介して前記登下校管理装置から終了メッセージを受信していないときに前記位置要求端末に前記位置を返信しない
登下校管理端末。
【発明の詳細な説明】
【技術分野】
【０００１】
本発明は、登下校管理装置及び登下校管理方法に関し、特に、被捜索人の居場所を検索するときに利用される登下校管理装置及び登下校管理方法に関する。
【背景技術】
【０００２】
児童または痴呆老人に例示される被捜索人の居場所を検索するシステムがが知られている。このようなシステムは、被捜索人が移動する軌跡を記録するときにその被捜索人の位置を検索する負担を軽減することが望まれている。
【０００３】
実用新案登録第３０４０３１９号公報には、保護者からの呼び出し時に被捜索人が一時的に正常であれば保護者と被捜索人（携帯者）との間で通話でき、危険状態にある場合は第三者に保護を呼びかけることができるよう構成した痴呆老人用携帯電話機が開示されている。その痴呆老人用携帯電話機は、公衆電話回線網に接続された無線基地局と無線通信を行う携帯電話機能を有する痴呆老人用携帯電話機において、着呼時に計時動作を行うタイマと、このタイマがタイムアップした際に、音声記憶部に記憶された音声データを読み出す音声読出制御部と、この音声読出制御部により読み出された音声データを音声信号に変換してスピーカに出力する音声信号変換部と、上記タイマのタイムアップ前に通話状態とする操作が行われた場合、タイマをリセットする通話制御部とを備えてなることを特徴としている。
【０００４】
特開２００３−１４１５９０号公報には、欠席届データが届いていない欠席者の保護者への連絡を行うことで、学校の職員、このような手間を省くことができる出欠確認装置が開示されている。その出欠確認装置は、出欠確認データを受け付ける出欠確認データ受付手段と、欠席届データを受け付ける欠席届データ受付手段と、前記出欠確認データ受付手段で受付した出欠確認データと前記欠席届データ受付手段で受付した欠席届データに基づいて問い合せをすべき相手先の情報を出力する演算手段とを備えたことを特徴としている。
【０００５】
【特許文献１】実用新案登録第３０４０３１９号公報
【特許文献２】特開２００３−１４１５９０号公報
【発明の開示】
【発明が解決しようとする課題】
【０００６】
本発明の課題は、端末が移動する軌跡を記録するときにその端末の位置を検索する負担を軽減する登下校管理装置及び登下校管理方法を提供することにある。
【０００７】
本発明の他の課題は、端末を携帯するユーザを目的地に早く移動させる登下校管理装置及び登下校管理方法を提供することにある。
【課題を解決するための手段】
【０００８】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００９】
本発明による登下校管理装置（１）は、出発時刻を記録する監視時間テーブル（１５）と、出発時刻を経過した後に学生端末（５）の位置を間欠的に検索する位置監視部（６９）と、その位置の軌跡を記録する軌跡テーブル（１６）と、通信回線網（３）を介して親端末（６）から軌跡を要求されたときに通信回線網（３）を介して親端末（６）にその軌跡を返信する軌跡提供部（７３）とを備えている。登下校管理装置（１）は、出発時刻を経過した後にのみ学生端末（５）の位置を検索することにより負担が軽減される。さらに、親端末（６）を使用するユーザは、学生端末（５）の位置を頻繁に検索することなく、学生端末（５）を携帯するユーザが移動する軌跡を知ることができる。
【００１０】
学生端末（５）は、学生端末（５）の位置を検索する機能を有している。位置監視部（６９）は、通信回線網（３）を介して学生端末（５）と通信して位置を収集することが好ましい。
【００１１】
本発明による登下校管理装置（１）は、出発地と目的地とを記録する経路テーブル（１３）と、出発時刻と出発地と目的地とに基づいて到着予定時刻を算出する到着予定時刻算出部（６３、６７）と、学生端末（５）が目的地に到着しない場合で到着予定時刻を経過したときに通信回線網（３）を介して終了メッセージを学生端末（５）に送信するメッセージ送信部（７０）とを更に備えている。登下校管理装置（１）は、学生端末（５）を携帯するユーザが目的地になかなか到着しないときに、学生端末（５）を携帯するユーザに早く目的地に移動するように促すことができる。
【００１２】
本発明による登下校管理装置（１）は、終了メッセージの返信メッセージを収集する返信メッセージ収集部（７１）と、終了メッセージを学生端末（５）に送信してから所定の時間内に返信メッセージが受信されないときに、通信回線網（３）を介して捜索依頼メッセージを親端末（６）に送信する捜索依頼メッセージ送信部（７２）とを更に備えている。このような登下校管理装置（１）によれば、親端末（６）を使用するユーザは、学生端末（５）を使用するユーザが目的地になかなか到着しないで、返信することができない状況に陥ったことを速く知ることができる。
【００１３】
本発明による登下校管理装置（１）は、通信回線網（３）を介して学生端末（５）から出発時刻を収集する出発時刻収集部（６２）を更に備えていることが好ましい。
【００１４】
本発明による登下校管理装置（１）は、通信回線網（３）を介して先生端末（７）から出欠を収集する出欠調査部（６４）を更に備えている。位置監視部（６９）は、出欠が出席を示すときに、学生端末（５）の位置を検索することを終了する。このとき、登下校管理装置（１）は、学生端末（５）の位置を検索する負担が軽減され、好ましい。
【００１５】
本発明による登下校管理装置（１）は、通信回線網（３）を介して親端末（６）から欠席届を収集する欠席届収集部（６１）を更に備えている。位置監視部（６９）は、その欠席届を受信するときに位置を検索しない。このとき、登下校管理装置（１）は、学生端末（５）の位置を検索する負担が軽減され、好ましい。
【００１６】
本発明による登下校管理装置（１）は、授業に割り当てられる時間を示す時間割を先生端末（７）から収集する時間割収集部（６５）と、その時間割に基づいて出発時刻を算出する下校時刻算出部（６６）とを更に備えていることが好ましい。
【００１７】
本発明による登下校管理装置（１）は、下校予定時刻を先生端末（７）から収集する時間割収集部（６５）と、下校予定時刻に基づいて出発時刻を算出する下校時刻算出部（６６）とを更に備えていることが好ましい。
【００１８】
本発明による登下校管理装置（１）は、通信回線網（３）を介して学生端末（５）から帰宅メッセージを収集する帰宅メッセージ収集部（６８）を更に備えている。位置監視部（６９）は、帰宅メッセージを受信したときに学生端末（５）の位置を検索することを終了する。このとき、登下校管理装置（１）は、学生端末（５）の位置を検索する負担が軽減され、好ましい。
【００１９】
本発明による登下校管理方法は、出発時刻を監視時間テーブル（１５）に記録するステップ（Ａ８、Ｂ４）と、出発時刻を経過した後に学生端末（５）の位置を間欠的に検索するステップ（Ａ１０、Ｂ５）と、位置の軌跡を軌跡テーブル（１６）に記録するステップと、通信回線網（３）を介して親端末（６）から軌跡を要求されたときに通信回線網（３）を介して親端末（６）に軌跡を返信するステップとを備えている。このような登下校管理方法によれば、学生端末（５）の位置を間欠的に検索する登下校管理装置（１）は、出発時刻を経過した後にのみその位置を検索することにより負担が軽減される。さらに、親端末（６）を使用するユーザは、学生端末（５）の位置を頻繁に検索することなく、学生端末（５）を携帯するユーザが移動する軌跡を知ることができる。
【００２０】
学生端末（５）は、位置を検索する機能を有している。その位置は、通信回線網（３）を介して学生端末（５）と通信して収集されることが好ましい。
【００２１】
本発明による登下校管理方法は、出発地と目的地とを経路テーブル（１３）に記録するステップと、出発時刻と出発地と目的地とに基づいて到着予定時刻を算出するステップ（Ａ９、Ｂ４）と、学生端末（５）が目的地に到着しない場合で、到着予定時刻を経過したときに、通信回線網（３）を介して終了メッセージを学生端末（５）に送信するステップ（Ａ１７、Ｂ１２）とを更に備えている。このような登下校管理方法によれば、学生端末（５）を携帯するユーザが目的地になかなか到着しないときに、学生端末（５）を携帯するユーザに早く目的地に移動するように促すことができる。
【００２２】
本発明による登下校管理方法は、終了メッセージの返信メッセージを収集するステップ（Ａ１８、Ｂ１３）と、終了メッセージを学生端末（５）に送信してから所定の時間内に返信メッセージが受信されないときに、通信回線網（３）を介して捜索依頼メッセージを親端末（６）に送信するステップ（Ａ１９、Ｂ１４）とを更に備えている。このような登下校管理方法によれば、親端末（６）を使用するユーザは、学生端末（５）を使用するユーザが目的地になかなか到着しないで、返信することができない状況に陥ったことを速く知ることができる。
【００２３】
本発明による登下校管理方法は、通信回線網（３）を介して学生端末（５）から出発時刻を収集するステップ（Ａ６）を更に備えていることが好ましい。
【００２４】
本発明による登下校管理方法は、通信回線網（３）を介して先生端末（７）から出欠を収集するステップ（Ａ３）を更に備えている。その位置は、出欠が出席を示すときに、検索されることが終了する。このとき、学生端末（５）の位置を検索する登下校管理装置（１）は、学生端末（５）の位置を検索する負担が軽減され、好ましい。
【００２５】
本発明による登下校管理方法は、通信回線網（３）を介して親端末（６）から欠席届を収集するステップ（Ａ３）を更に備えている。その位置は、欠席届を受信するときに検索されない。このとき、学生端末（５）の位置を検索する登下校管理装置（１）は、学生端末（５）の位置を検索する負担が軽減され、好ましい。
【００２６】
本発明による登下校管理方法は、授業に割り当てられる時間を示す時間割を先生端末（７）から収集するステップ（Ｂ１）と、時間割に基づいて出発時刻を算出するステップ（Ｂ３）とを更に備えていることが好ましい。
【００２７】
本発明による登下校管理方法は、下校予定時刻を先生端末（７）から収集するステップ（Ｂ１）と、下校予定時刻に基づいて出発時刻を算出するステップ（Ｂ３）とを更に備えていることが好ましい。
【００２８】
本発明による登下校管理方法は、通信回線網（３）を介して学生端末（５）から帰宅メッセージを収集するステップ（Ｂ８）を更に備えている。その位置は、帰宅メッセージを受信したときに検索されることが終了する。このとき、学生端末（５）の位置を検索する登下校管理装置（１）は、学生端末（５）の位置を検索する負担が軽減され、好ましい。
【００２９】
本発明による登下校管理端末（５）は、許可端末を記録する連絡先テーブル（８１）と、本登下校管理端末（５）の位置を検出する位置検出部（８２）と、通信回線網（３）を介して位置要求端末（６、１）から位置を要求されたときに、通信回線網（３）を介して位置要求端末（６、１）に位置を返信する返信部（８３）とを備えている。返信部（８３）は、許可端末が位置要求端末を含まないときに、その位置要求端末に位置を返信しない。このとき、登下校管理端末（５）は、ユーザのプライバシーを守る点で好ましい。
【００３０】
本発明による登下校管理端末（５）は、緊急連絡部（８４）を更に備えていることが好ましい。このとき、連絡先テーブル（８１）は、緊急連絡先端末（６）を更に記録し、緊急連絡部（８４）は、緊急ボタンが操作されたときに通信回線網（３）を介して緊急連絡先端末（６）に位置を連絡することが好ましい。
【００３１】
位置検出部（８２）は、ＧＰＳ衛星から発振される電波に基づいて本登下校管理端末（５）の位置を検出することが好ましい。または、位置検出部（８２）は、通信回線網（３）に利用される複数の基地局から発振される電波に基づいて本登下校管理端末（５）の位置を検出することが好ましい。
【００３２】
連絡先テーブル（８１）は、登下校管理装置（１）を更に記録している。このとき、返信部（８３）は、通信回線網（３）を介して登下校管理装置（１）から終了メッセージを受信していないときに位置要求端末（６）に位置を返信しないことがプライバシーを守る点で好ましい。
【発明の効果】
【００３３】
本発明による登下校管理装置及び登下校管理方法は、端末が移動する軌跡を記録するときにその端末の位置を検索する負担を軽減することができる。
【発明を実施するための最良の形態】
【００３４】
図面を参照して、本発明による登下校管理装置の実施の形態を記載する。その登下校管理装置１は、図１に示されているように、登下校管理システム２に適用されている。登下校管理システム２は、インターネット３を介して複数の情報処理装置（コンピュータ）が互いに双方向に情報を伝送することができるように接続されている。その複数の情報処理装置は、登下校管理装置１と学生端末５と親端末６と先生端末７とから形成されている。
【００３５】
登下校管理装置１は、ワークステーションに例示される情報処理装置であり、登下校管理システム２を管理する業者により使用される。学生端末５は、携帯電話機に例示される情報処理装置であり、登下校管理システム２により管理される児童により使用される。親端末６は、パーソナルコンピュータに例示される情報処理装置であり、その児童を保護する保護者により使用される。先生端末７は、パーソナルコンピュータに例示される情報処理装置であり、その児童が通学する学校または塾のクラスを担任する先生により使用される。学生端末５と親端末６と先生端末７とは、登下校管理システム２に複数が設けられることができる。
【００３６】
図２は、登下校管理装置１を示している。登下校管理装置１は、処理装置１１とユーザデータベース１２とから形成されている。処理装置１１は、ＣＰＵを有する情報処理装置であり、図示されていないＬＡＮにより双方向に情報伝達可能に処理装置１１に接続されている。処理装置１１は、インストールされるコンピュータプログラムを実行することにより、主に、インターネット３を介して情報を収集したり、配信したりすることに使用される。ユーザデータベース１２は、ＣＰＵを有する処理装置であり、主に、インターネット３を介して処理装置１１により収集されたデータを整理・統合して記録するために使用される。登下校管理装置１は、処理装置１１とユーザデータベース１２とから形成されることにより、そのうちの１つが処理を継続している期間に他の１つを停止することができる。このような停止は、登下校管理装置１の保守点検・修理を容易にする。
【００３７】
なお、登下校管理装置１は、複数のＣＰＵを有するときより保守点検・修理が困難になるが、ＣＰＵを１つだけ備え、処理装置１１とユーザデータベース１２とに兼用されることもできる。
【００３８】
図３は、ユーザデータベース１２を示している。ユーザデータベース１２は、通学路テーブル１３と時間割テーブル１４と監視時間テーブル１５と軌跡テーブル１６とを記録している。
【００３９】
図４は、通学路テーブル１３を示している。通学路テーブル１３は、学生ＩＤ２１に親ＩＤ２２と住所２３と通学路２４とクラス２５とを対応付けている。学生ＩＤ２１は、学生端末５を使用する児童を識別する情報であり、その児童の氏名と学生端末５のメールアドレス（電話番号）とその児童に割り当てられたユーザＩＤとパスワードとを示している。親ＩＤ２２は、学生ＩＤ２１により識別される児童を保護する保護者により使用される親端末６を識別する情報である。親ＩＤ２２は、その親端末６のメールアドレスと電話番号とを示している。住所２３は、学生ＩＤ２１により識別される児童が居住する自宅の住所を示している。通学路２４は、学生ＩＤ２１により識別される児童が通学する学校の住所を示し、学生ＩＤ２１により識別される児童が通学する通学路を示している。クラス２５は、学生ＩＤ２１により識別される児童が通学する学校のクラスを識別する情報を示している。
【００４０】
図５は、時間割テーブル１４を示している。時間割テーブル１４は、クラス３１に時間割３２と終了予定時刻３３とを対応付けている。クラス３１は、学生ＩＤ２１により識別される児童が通学する学校のクラスを識別し、その学校の学校名とそのクラスを担任する先生により使用される先生端末７のメールアドレスとを示している。時間割３２は、クラス３１により識別されるクラスで毎週に実施される授業を各時間に割り当てる表を示している。終了予定時刻３３は、クラス３１により識別されるクラスで実施される各日に授業が終了すること予定される時刻を示している。
【００４１】
図６は、監視時間テーブル１５を示している。監視時間テーブル１５は、学生ＩＤ４１に出欠４２と出発時刻４３と登校予定時刻４４と下校時刻４５と帰宅予定時刻４６とを対応付けている。学生ＩＤ４１は、学生端末５を使用する児童を識別する情報であり、学生ＩＤ２１その児童の氏名と学生端末５のメールアドレス（電話番号）とその児童に割り当てられたユーザＩＤとパスワードとを示している。学生ＩＤ４１により識別される児童が出席するか欠席するかを示している。出欠４２は、さらに、学生ＩＤ４１により識別される児童の保護者により作成される欠席届を示している。出発時刻４３は、学生ＩＤ４１により識別される児童が登校するために自宅を出発する時刻を示している。登校予定時刻４４は、学生ＩＤ４１により識別される児童が出発時刻４３により示される時刻に自宅を出発するときに学校に到着することが予定される時刻を示している。下校時刻４５は、学生ＩＤ４１により識別される児童が学校を出発することが予定される時刻を示している。帰宅予定時刻４６は、学生ＩＤ４１により識別される児童が下校時刻４５により示される時刻に学校を出発するときに自宅に到着することが予定される時刻を示している。
【００４２】
図７は、軌跡テーブル１６を示している。軌跡テーブル１６は、学生ＩＤ５１に登校軌跡５２と登校時刻５３と下校軌跡５４と帰宅時刻５５とを記録している。学生ＩＤ５１は、学生端末５を使用する児童を識別する情報であり、学生ＩＤ２１その児童の氏名と学生端末５のメールアドレス（電話番号）とその児童に割り当てられたユーザＩＤとパスワードとを示している。登校軌跡５２は、学生ＩＤ５１により識別される児童が自宅から学校に登校するときに通った軌跡を示している。登校時刻５３は、学生ＩＤ５１により識別される児童が学校に到着した時刻を示している。下校軌跡５４は、学生ＩＤ５１により識別される児童が学校から自宅に下校するときに通った軌跡を示している。帰宅時刻５５は、学生ＩＤ５１により識別される児童が自宅に到着した時刻を示している。
【００４３】
図８は、処理装置１１にインストールされるコンピュータプログラムを示している。そのコンピュータプログラムは、欠席届収集部６１と出発時刻収集部６２と登校時刻算出部６３と出欠調査部６４と時間割収集部６５と下校時刻算出部６６と到着時刻算出部６７と帰宅メッセージ収集部６８と位置監視部６９とメッセージ送信部７０と返信メッセージ収集部７１と捜索依頼メッセージ送信部７２と軌跡提供部７３とから形成されている。
【００４４】
欠席届収集部６１は、インターネット３を介して親端末６にアクセスされるときに、インターネット３を介して欠席届画面を親端末６に返信する。欠席届収集部６１は、さらに、インターネット３を介してその欠席届画面に記入される欠席届を親端末６から受信したときに、その欠席届が示す情報を監視時間テーブル１５に記載する。
【００４５】
出発時刻収集部６２は、インターネット３を介して学生端末５にアクセスされるときに、インターネット３を介して学生端末画面を学生端末５に返信する。出発時刻収集部６２は、さらに、インターネット３を介してその学生端末画面に記入される出発時刻を学生端末５から受信したときに、その出発時刻を監視時間テーブル１５に記載する。
【００４６】
登校時刻算出部６３は、通学路テーブル１３に記録される通学路と出発時刻収集部６２により収集された出発時刻とに基づいて児童が学校に登校する登校予定時刻を算出する。
【００４７】
出欠調査部６４は、インターネット３を介して先生端末７にアクセスされるときに、インターネット３を介して先生端末画面を先生端末７に返信する。出欠調査部６４は、さらに、インターネット３を介して児童が出席したことが記載される先生端末画面を受信したときに、その出席したことを登校軌跡テーブル１６に記載する。
【００４８】
時間割収集部６５は、インターネット３を介して先生端末７にアクセスされるときに、インターネット３を介して先生端末画面を先生端末７に返信する。時間割収集部６５は、さらに、インターネット３を介して時間割または終了予定時刻が記載される先生端末画面を受信したときに、その時間割または終了予定時刻を時間割テーブル１４に記載する。
【００４９】
下校時刻算出部６６は、時間割収集部６５により収集された時間割または終了予定時刻とに基づいて児童が学校から自宅に出発する下校時刻を算出する。
【００５０】
到着時刻算出部６７は、通学路テーブル１３に記録される通学路と下校時刻算出部６６により算出された下校時刻とに基づいて児童が自宅に帰宅する帰宅予定時刻を算出する。
【００５１】
帰宅メッセージ収集部６８は、インターネット３を介して学生端末５にアクセスされるときに、インターネット３を介して学生端末画面を学生端末５に返信する。帰宅メッセージ収集部６８は、さらに、インターネット３を介してその学生端末画面に記入される帰宅時刻を学生端末５から受信したときに、その帰宅時刻を監視時間テーブル１５に記載する。
【００５２】
位置監視部６９は、出発時刻収集部６２により収集された出発時刻から出欠調査部６４によりその児童が出席したことが受信されるまで、生徒端末５に定期的に（要求メール）を送信して生徒端末５の位置を要求する。位置監視部６９は、下校時刻算出部６６により算出された下校時刻から帰宅メッセージ収集部６８により収集される帰宅時刻まで、生徒端末５に定期的に（要求メール）を送信して生徒端末５の位置を要求する。位置監視部６９は、さらに、生徒端末５から送信される位置を登校軌跡テーブル１６に記載する。
【００５３】
メッセージ送信部７０は、登校時刻算出部６３により算出される登校予定時刻までに出欠調査部６４により児童が出席したことを受信しないときに、生徒端末５に（登校と返信と）を促すメッセージを送信する。メッセージ送信部７０は、さらに、到着時刻算出部６７により算出される帰宅予定時刻までに帰宅メッセージ収集部６８により帰宅時刻が受信されないときに、生徒端末５に（帰宅と返信と）を促すメッセージを送信する。
【００５４】
返信メッセージ収集部７１は、インターネット３を介してメッセージ送信部７０により配信されたメッセージの返信を学生端末５から収集する。
【００５５】
捜索依頼メッセージ送信部７２は、メッセージ送信部７０によりメッセージが送信されてから所定の時間経過後までに返信メッセージ収集部７１により返信メッセージが受信されないときに、通学路テーブル１１を参照して、その学生端末５に対応する親端末６に捜索を促す捜索依頼メッセージを送信する。
【００５６】
軌跡提供部７３は、軌跡テーブル１６に記載される学生端末５の軌跡を親端末６から要求されたときに、その軌跡を親端末６に返信する。
【００５７】
図９は、学生端末５にインストールされるソフトウェアを示している。そのソフトウェアは、連絡先テーブル８１と位置検出部８２と返信部８３と緊急連絡部８４とから形成されている。連絡先テーブル８１は、複数種類の連絡先を示している。
【００５８】
位置検出部８２は、ＧＰＳに利用されるＧＰＳ衛星から発信される電波に基づいて学生端末５の位置を算出する。なお、位置検出部８２は、その電波に置換して、インターネット３に接続される携帯電話通信網に適用される無線基地局から発振される電波に基づいて学生端末５の位置を算出することもできる。
【００５９】
返信部８３は、連絡先テーブル８１を参照して、許可される端末からインターネット３を介して学生端末５の位置を要求されたときに、位置検索部８２により算出された位置をその端末に自動的に返信する。
【００６０】
緊急連絡部８４は、緊急連絡ボタンが操作されたときに、連絡先テーブル８１を参照して、緊急連絡先の携帯電話機と携帯電話回線網を介して通話するように発呼する。緊急連絡部８４は、緊急連絡ボタンが操作されたときに、さらに、インターネット３を介して位置検索部８２により算出された位置をその緊急連絡先に送信する。
【００６１】
図１０は、連絡先テーブル８１を示している。連絡先テーブル８１は、種類８６に連絡先８７を対応付けている。種類８６は、連絡が必要である事象を示している。たとえば、種類８６は、学生端末５の位置を要求されること、緊急連絡ボタンが押されること、終了メッセージが受信されることが例示される。連絡先８７は、種類８６により示される事象が発生したときに連絡する連絡先を示し、その連絡先のメールアドレスを示している。
【００６２】
たとえば、連絡先８７は、種類８６が学生端末５の位置を要求されることを示すときに、登下校管理装置１または親端末６を示している。このとき、返信部８３は、インターネット３を介して登下校管理装置１または親端末６から学生端末５の位置を要求されたときに、位置検索部８２により算出された位置をその登下校管理装置１または親端末６に自動的に返信する。
【００６３】
たとえば、連絡先８７は、種類８６が緊急連絡ボタンの押されることを示すときに、親端末６を示している。このとき、緊急連絡部８４は、緊急連絡ボタンが操作されたときに、携帯電話回線網を介して親端末６と通話するように発呼する。緊急連絡部８４は、緊急連絡ボタンが操作されたときに、さらに、インターネット３を介して位置検索部８２により算出された位置を親端末６に送信する。
【００６４】
たとえば、連絡先８７は、種類８６が終了メッセージが受信されることを示すときに、登下校管理装置１を示している。このとき、返信部８３は、インターネット３を介して登下校管理装置１から終了メッセージを受信した後で、かつ、インターネット３を介して親端末６から学生端末５の位置を要求されたときにのみ、位置検索部８２により算出された位置をその親端末６に自動的に返信する。すなわち、返信部８３は、インターネット３を介して登下校管理装置１から終了メッセージを受信しない場合で、インターネット３を介してある端末から学生端末５の位置を要求されたときに、位置検索部８２により算出された位置をその端末に返信しない。このような動作によれば、その保護者は、学生端末５の位置を常時に検索することができないで、学生端末５を携帯する児童のプライバシーを守る点で好ましい。
【００６５】
図１１は、欠席届収集部６１により親端末６に送信される欠席届画面を示している。その欠席届画面９１は、ユーザＩＤ記入欄９２−１とパスワード記入欄９２−２と欠席日付け記入欄９２−３と欠席理由記入欄９２−４とを備えている。ユーザＩＤ記入欄９２−１は、学生端末５を使用する児童に割り当てられたユーザＩＤが記入される。パスワード記入欄９２−２は、学生端末５を使用する児童に割り当てられたパスワードが記入される。欠席日付け記入欄９２−３は、学生端末５を使用する児童が欠席する日付が記入される。欠席理由記入欄９２−４は、学生端末５を使用する児童が欠席する理由が記入される。
【００６６】
図１２は、出発時刻収集部６２または帰宅メッセージ収集部６８により学生端末５に送信される学生端末画面を示している。その学生端末画面９４は、ユーザＩＤ記入欄９５−１とパスワード記入欄９５−２と出発時刻記入欄９５−３と帰宅時刻記入欄９５−４とを備えている。ユーザＩＤ記入欄９５−１は、学生端末５を使用する児童に割り当てられたユーザＩＤが記入される。パスワード記入欄９５−２は、学生端末５を使用する児童に割り当てられたパスワードが記入される。出発時刻記入欄９５−３は、学生端末５を使用する児童が自宅を出発する出発時刻が記入される。帰宅時刻記入欄９５−４は、学生端末５を使用する児童が自宅に帰宅する帰宅時刻が記入される。
【００６７】
図１３は、出欠調査部６４または時間割収集部６５により先生端末７に送信される先生端末画面を示している。その先生端末画面９７は、児童氏名記入欄９８−１と出欠記入欄９８−２と時間割記入欄９８−３と終了予定時刻記入欄９８−４とを備えている。児童氏名記入欄９８−１は、学生端末５を使用する児童の氏名が記入される。出欠記入欄９８−２は、学生端末５を使用する児童が出席したかどうかが記入される。時間割記入欄９８−３は、学生端末５を使用する児童のクラスの時間割が記入される。終了予定時刻記入欄９８−４は、学生端末５を使用する児童のクラスが終了する終了予定時刻が記入される。
【００６８】
本発明による登下校管理方法の実施の形態は、登下校管理システム２により実行され、登校時の動作と下校時の動作と児童が登下校する軌跡を公開する動作とを備えている。その登校時の動作は、児童の登校の監視を開始するときの動作と児童の登校の監視を終了するときの動作と児童が登校予定時刻に登校していないときの動作と緊急ボタンが操作されたときの動作とを備えている。
【００６９】
図１４は、児童の登校の監視を開始するときの動作を示している。その児童の保護者は、その児童が欠席するときに（ステップＡ１、ＹＥＳ）、親端末６を用いて登下校管理装置１にアクセスして欠席届画面９１を入手する。その保護者は、親端末６を用いて欠席届画面９１のユーザＩＤ記入欄９２−１にその児童のユーザＩＤを記入し、パスワード記入欄９２−２にその児童のパスワードを記入する（ステップＡ２）。その保護者は、さらに、欠席日付け記入欄９２−３にその児童が欠席する日付けを記入し、欠席理由記入欄９２−４に欠席する理由を記入する（ステップＡ３）。親端末６は、欠席届画面９１にこれらの情報が記入されると、その情報から形成される欠席届を登下校管理装置１に送信する。登下校管理装置１は、その欠席届を受信すると、監視時間テーブル１５にその欠席届に記載されるユーザＩＤにより識別される児童が欠席することを記入する（ステップＡ４）。登下校管理装置１は、その欠席届を受信した日に、ユーザＩＤに対応する学生端末５の位置を検索しない。
【００７０】
その児童は、出席するときに（ステップＡ１、ＮＯ）、学生端末５を用いて登下校管理装置１にアクセスして学生端末画面９４を入手する。その児童は、学生端末５を用いて学生端末画面９４のユーザＩＤ記入欄９５−１にその児童のユーザＩＤを記入し、パスワード記入欄９５−２にその児童のパスワードを記入する（ステップＡ５）。その児童は、さらに、出発時刻記入欄９５−３に自宅を出発する出発時刻を記入する（ステップＡ６）。学生端末６は、学生端末画面９４にユーザＩＤとパスワードと出発時刻とが記入されると、その情報を登下校管理装置１に送信する。登下校管理装置１は、その情報を受信すると、監視時間テーブル１５にそのユーザＩＤに対応付けてその出発時刻を記入する（ステップＡ８）。登下校管理装置１は、通学路テーブル１３を参照して、そのユーザＩＤに対応する通学路とその出発時刻とに基づいて登校時刻を算出する（ステップＡ９）。登下校管理装置１は、さらに、その出発時刻を経過すると、そのユーザＩＤに対応する学生端末５と定期的に通信して学生端末５の位置を軌跡テーブル１６に記録する（ステップＡ１０）。
【００７１】
このような動作によれば、登下校管理装置１は、その児童が出席する場合で、かつ、出発時刻を経過した後のみに、その児童が携帯する学生端末５の位置を検索する。このため、登下校管理装置１は、不必要である時間に検索しないことにより、負担が軽減される。
【００７２】
図１５は、その児童の登校の監視を終了するときの動作を示している。その児童が通学するクラスを担任する先生は、点呼してそのクラスの出欠を調査する（ステップＡ１１）。その先生は、さらに、先生端末７を用いて登下校管理装置１にアクセスして先生端末画面９７を入手する。その先生は、さらに、先生端末７を用いて登下校管理装置１にアクセスして先生端末画面９７の児童氏名記入欄９８−１に出席している児童の氏名を記入し、出欠記入欄９８−２にその児童が出席していることを記入する（ステップＡ１２）。先生端末７は、先生端末画面９７に各児童が出席していることが記入されると、その情報を登下校管理装置１に送信する。登下校管理装置１は、その情報を受信すると、軌跡テーブル１６にその児童のＩＤに対応付けてその登校時刻を記入する（ステップＡ１３）。登下校管理装置１は、その情報を受信すると、さらに、その児童の学生端末５の位置を軌跡テーブル１６に記録することを終了する。
【００７３】
このような動作によれば、登下校管理装置１は、その児童が登校するまでのみに、その児童が携帯する学生端末５の位置を検索する。このため、登下校管理装置１は、不必要である時間に検索しないことにより、負担が軽減される。
【００７４】
図１６は、その児童が登校予定時刻に登校していないときの動作を示している。登下校管理装置１は、欠席届が提出されないで（ステップＡ１４、ＮＯ）、かつ、出席しないで（ステップＡ１５、ＮＯ）、かつ、到着予定時刻が経過したときに（ステップＡ１６、ＹＥＳ）、その児童の学生端末５に終了メッセージを送信する。その終了メッセージは、速く学校に行くことを促すメッセージと、返信を促すメッセージとが記載されている。その学生端末５を携帯する児童は、その終了メッセージを受け取ると、学生端末５を用いて返信メッセージを登下校管理装置１に送信する。その返信メッセージは、その児童が登校予定時刻に登校していない理由を示している。
【００７５】
登下校管理装置１は、その終了メッセージを送信してから所定時間内にその返信メッセージを受信すると（ステップＡ１８、ＹＥＳ）、その児童が出席したことが先生端末７から受信されるまで継続して学生端末５の位置を検索して記録する。
【００７６】
登下校管理装置１は、その終了メッセージを送信してから所定時間内にその返信メッセージを受信しないときに（ステップＡ１８、ＮＯ）、その児童に対応する親端末６に捜索依頼メッセージを送信する（ステップＡ１９）。その捜索依頼メッセージは、その児童が終了メッセージに返信しないことと、その児童を捜索することを促すこととが記載されている。その親端末６を携帯する保護者は、その捜索依頼メッセージを受け取ると、学生端末５を携帯する児童を探す。このとき、その保護者は、親端末６を用いて学生端末５と通信して学生端末５の位置を検索する（ステップＡ２１）。その保護者は、学生端末５を携帯する児童を発見したときに、親端末６を用いて登下校管理装置１にその児童を発見したことを通知する。登下校管理装置１は、その児童が発見されたことを受信すると、その学生端末５の位置を軌跡テーブル１６に記録することを終了する。
【００７７】
このような動作によれば、登下校管理装置１は、その児童がその返信メッセージを送信することができないときに、たとえば、その児童が事件に巻き込まれたときに、その児童が携帯する学生端末５の位置を登校予定時刻以降も検索する。このため、登下校管理装置１は、その事件の解決を速くすることができる。
【００７８】
図１６は、さらに、緊急連絡ボタンが操作されたときの動作を示している。学生端末５を携帯する児童は、事件に巻き込まれそうになったときに、学生端末５の緊急連絡ボタンを押す。学生端末５は、緊急連絡ボタンが操作されたときに、携帯電話回線網を介して親端末６と通話するように発呼する。学生端末５は、緊急連絡ボタンが操作されたときに、さらに、インターネット３を介して位置検索部８２により算出された位置を親端末６と登下校管理装置１とに送信する。
【００７９】
このような動作によれば、その児童は、事件に巻き込まれそうになったときに、その保護者に容易に連絡することができる。このため、このような動作によれば、その事件の解決を速くすることができる。
【００８０】
その下校時の動作は、児童の下校の監視を開始するときの動作と児童の下校の監視を終了するときの動作と児童が到着予定時刻に帰宅していないときの動作と緊急ボタンが操作されたときの動作とを備えている。
【００８１】
図１７は、児童の下校の監視を開始するときの動作を示している。その動作では、まず、その児童が通学するクラスを担任する先生が先生端末７を用いて登下校管理装置１にアクセスして先生端末画面９７を入手する。その先生は、先生端末７を用いて先生端末画面９７の時間割記入欄９８−３に担任するクラスの時間割を記入する（ステップＢ１）。先生端末７は、その時間割が記入されると、インターネット３を介してその時間割を登下校管理装置１に送信する。登下校管理装置１は、その時間割を受信すると、時間割テーブル１４に記入する（ステップＢ２）。その先生は、さらに、その時間割により下校時刻が推測できないときに（たとえば、学校行事があるときに）、先生端末７を用いて先生端末画面９７の終了予定時刻記入欄９８−４に担任するクラスの終了予定時刻を記入する。先生端末７は、その終了予定時刻が記入されると、インターネット３を介してその終了予定時刻を登下校管理装置１に送信する。登下校管理装置１は、その終了予定時刻を受信すると、時間割テーブル１４に記入する。
【００８２】
登下校管理装置１は、時間割テーブル１４を参照して、時間割または終了予定時刻とに基づいてその児童が学校から自宅に出発する下校時刻を算出する（ステップＢ３）。登下校管理装置１は、その下校時刻と通学路テーブル１３に記録される通学路とに基づいて児童が自宅に帰宅する帰宅予定時刻を算出する（ステップＢ４）。登下校管理装置１は、さらに、その下校時刻を経過すると、そのユーザＩＤに対応する学生端末５と定期的に通信して学生端末５の位置を軌跡テーブル１６に記録する。登下校管理装置１は、さらに、その出発時刻を経過すると、そのユーザＩＤに対応する学生端末５と定期的に通信して学生端末５の位置を軌跡テーブル１６に記録する（ステップＢ５）。
【００８３】
このような動作によれば、登下校管理装置１は、下校時刻を経過した後のみに、その児童が携帯する学生端末５の位置を検索する。このため、登下校管理装置１は、不必要である時間に検索しないことにより、負担が軽減される。
【００８４】
図１８は、児童の下校の監視を終了するときの動作を示している。その動作では、まず、学生端末５を携帯する児童が下校する（ステップＢ６）。その児童は、自宅に帰宅すると（ステップＢ７）、学生端末５を用いて登下校管理装置１にアクセスして学生端末画面９４を入手する。その児童は、学生端末５を用いて学生端末画面９４のユーザＩＤ記入欄９５−１にユーザＩＤを記入し、パスワード記入欄９５−２にパスワードを記入し、帰宅時刻記入欄９５−４にその児童が自宅に帰宅した帰宅時刻を記入する（ステップＢ８）。学生端末５は、学生端末画面９４に帰宅時刻が記入されると、登下校管理装置１にその帰宅時刻を送信する。登下校管理装置１は、その帰宅時刻を受信すると、その帰宅時刻を軌跡テーブル１６に記入し（ステップＢ９）、その児童の学生端末５の位置を軌跡テーブル１６に記録することを終了する。
【００８５】
このような動作によれば、登下校管理装置１は、その児童が帰宅するまでのみに、その児童が携帯する学生端末５の位置を検索する。このため、登下校管理装置１は、不必要である時間に検索しないことにより、負担が軽減される。
【００８６】
図１９は、児童が到着予定時刻に帰宅していないときの動作を示している。登下校管理装置１は、欠席届が提出されていないで、かつ、帰宅時刻が記録されていないで（ステップＢ１０、ＮＯ）、かつ、到着予定時刻が経過したときに（ステップＢ１１、ＹＥＳ）、その児童の学生端末５に終了メッセージを送信する。その終了メッセージは、速く帰宅することを促すメッセージと、返信を促すメッセージとを示している。その学生端末５を携帯する児童は、その終了メッセージを受け取ると、学生端末５を用いて返信メッセージを登下校管理装置１に送信する。その返信メッセージは、その児童が到着予定時刻に登校していない理由を示している。
【００８７】
登下校管理装置１は、その終了メッセージを送信してから所定時間内にその返信メッセージを受信すると（ステップＢ１３、ＹＥＳ）、その児童が帰宅したことが学生端末５から受信されるまで継続して学生端末５の位置を検索して記録する。
【００８８】
登下校管理装置１は、その終了メッセージを送信してから所定時間内にその返信メッセージを受信しないときに（ステップＢ１３、ＮＯ）、その児童に対応する親端末６に捜索依頼メッセージを送信する（ステップＢ１４）。その捜索依頼メッセージは、その児童が終了メッセージに返信しないことと、その児童を捜索することを促すこととが記載されている。その親端末６を携帯する保護者は、その捜索依頼メッセージを受け取ると、学生端末５を携帯する児童を探す。このとき、その保護者は、親端末６を用いて学生端末５と通信して学生端末５の位置を検索する（ステップＡ２１）。その保護者は、学生端末５を携帯する児童を発見したときに、親端末６を用いて登下校管理装置１にその児童を発見したことを通知する。登下校管理装置１は、その児童が発見されたことを受信すると、その学生端末５の位置を軌跡テーブル１６に記録することを終了する。
【００８９】
このような動作によれば、登下校管理装置１は、その児童がその返信メッセージを送信することができないときに、たとえば、その児童が事件に巻き込まれたときに、その児童が携帯する学生端末５の位置を登校予定時刻以降も検索する。このため、登下校管理装置１は、その事件の解決を速くすることができる。
【００９０】
図１９は、緊急ボタンが操作されたときの動作をさらに示している。学生端末５を携帯する児童は、事件に巻き込まれそうになったときに、学生端末５の緊急連絡ボタンを押す。学生端末５は、緊急連絡ボタンが操作されたときに、携帯電話回線網を介して親端末６と通話するように発呼する。学生端末５は、緊急連絡ボタンが操作されたときに、さらに、インターネット３を介して位置検索部８２により算出された位置を親端末６に送信する。
【００９１】
このような動作によれば、その児童は、事件に巻き込まれそうになったときに、その保護者に容易に連絡することができる。このため、このような動作によれば、その事件の解決を速くすることができる。
【００９２】
児童が登下校する軌跡を公開する動作では、まず、その児童の保護者は、その児童の登下校の軌跡を知りたいときに、、親端末６を用いて登下校管理装置１にその児童のユーザＩＤとパスワードとその日付けとと送信する。登下校管理装置１は、軌跡を親端末６から要求されたときに、軌跡テーブル１６を参照して、そのユーザＩＤに対応する登校軌跡と下校軌跡とを親端末６に返信する。このとき、その児童の保護者は、親端末６を使用して、学生端末５の位置を頻繁に検索することなく、学生端末５を携帯する児童が移動する軌跡を容易に知ることができる。
【図面の簡単な説明】
【００９３】
【図１】図１は、登下校監視システムを示すブロック図である。
【図２】図２は、本発明による登下校管理装置の実施の形態を示すブロック図である。
【図３】図３は、ユーザデータベースを示すブロック図である。
【図４】図４は、通学路テーブルを示す表である。
【図５】図５は、時間割テーブルを示す表である。
【図６】図６は、監視時間テーブルを示す表である。
【図７】図７は、軌跡テーブルを示す表である。
【図８】図８は、処理装置を示すブロック図である。
【図９】図９は、学生端末を示すブロック図である。
【図１０】図１０は、連絡先テーブルを示す表である。
【図１１】図１１は、欠席届画面を示す図である。
【図１２】図１２は、学生端末画面を示す図である。
【図１３】図１３は、先生端末画面を示す図である。
【図１４】図１４は、児童の登校の監視を開始するときの動作を示すフローチャートである。
【図１５】図１５は、児童の登校の監視を終了するときの動作を示すフローチャートである。
【図１６】図１６は、児童が登校予定時刻に登校していないときの動作を示し、緊急ボタンが操作されたときの動作を示すフローチャートである。
【図１７】図１７は、児童の下校の監視を開始するときの動作を示すフローチャートである。
【図１８】図１８は、児童の下校の監視を終了するときの動作を示すフローチャートである。
【図１９】図１９は、児童が到着予定時刻に帰宅していないときの動作を示し、緊急ボタンが操作されたときの動作とを示すフローチャートである。
【符号の説明】
【００９４】
１  ：登下校管理装置
２  ：登下校監視システム
３  ：インターネット
５  ：学生端末
６  ：親端末
７  ：先生端末
１１：処理装置
１２：ユーザデータベース
１３：通学路テーブル
１４：時間割テーブル
１５：監視時間テーブル
１６：軌跡テーブル
２１：学生ＩＤ
２２：親ＩＤ
２３：住所
２４：通学路
２５：クラス
３１：クラス
３２：時間割
３３：終了予定時刻
４１：学生ＩＤ
４２：出欠
４３：出発時刻
４４：登校予定時刻
４５：下校時刻
４６：帰宅予定時刻
５１：学生ＩＤ
５２：登校軌跡
５３：登校時刻
５４：下校時刻
５５：帰宅時刻
６１：欠席届収集部
６２：出発時刻収集部
６３：登校時刻算出部
６４：出欠調査部
６５：時間割収集部
６６：下校時刻算出部
６７：到着時刻算出部
６８：帰宅メッセージ収集部
６９：位置監視部
７０：メッセージ送信部
７１：返信メッセージ収集部
７２：捜索依頼メッセージ送信部
７３：軌跡提供部
８１：連絡先テーブル
８２：位置検出部
８３：返信部
８４：緊急連絡部
８６：種類
８７：連絡先
９１：欠席届画面
９２−１：ユーザＩＤ記入欄
９２−２：パスワード記入欄
９２−３：欠席日付け記入欄
９２−４：欠席理由記入欄
９４：学生端末画面
９５−１：ユーザＩＤ記入欄
９５−２：パスワード記入欄
９５−３：出発時刻記入欄
９５−４：帰宅時刻記入欄
９７：先生端末画面
９８−１：児童氏名記入欄
９８−２：出欠記入欄
９８−３：時間割記入欄
９８−４：終了予定時刻記入欄
【図１】
2006244182.tif 000003
【図２】
2006244182.tif 000004
【図３】
2006244182.tif 000005
【図４】
2006244182.tif 000006
【図５】
2006244182.tif 000007
【図６】
2006244182.tif 000008
【図７】
2006244182.tif 000009
【図８】
2006244182.tif 000010
【図９】
2006244182.tif 000011
【図１０】
2006244182.tif 000012
【図１１】
2006244182.tif 000013
【図１２】
2006244182.tif 000014
【図１３】
2006244182.tif 000015
【図１４】
2006244182.tif 000016
【図１５】
2006244182.tif 000017
【図１６】
2006244182.tif 000018
【図１７】
2006244182.tif 000019
【図１８】
2006244182.tif 000020
【図１９】
2006244182.tif 000021